(57)【要約】  ゴルフ広告システムが提供される。このゴルフ広告システムは、実質的に一様な表面に宣伝物を有するゴルフ練習マットを含む。宣伝物は、他の宣伝物と取り替えることができる取り外し可能な部分に配置されることが好ましい。また、ゴルフボール供給装置が提供され、それはティー・ディバイダーとして機能することが好ましい。ゴルフボール供給装置は着脱可能な宣伝物を含むことがさらに好ましい。ゴルフボール供給装置はゴルフ練習マットと組み合わせて使用することができ、広告物への注目を高めるために、マット表面の宣伝物の上、あるいは上部にゴルフボールを供給することができる。他の実施例では、ゴルフボール配球装置は、電子ディスプレイパネル、音声出力装置、ゴルファーのスイングを記録するビデオカメラ、または座席エリアを備える。電子ディスプレイパネルは宣伝物を表示することができ、必要に応じて、ゴルファーのスイングに関するフィードバックを提供することもできる。オプションの鏡は、ゴルファーがスイングを確認するために提供される。複数のかかるゴルフボール提供装置は、ネットワーク及び中央計算装置を介して連結することができる。
2007534437.tif 000002
【特許請求の範囲】
【請求項１】
実質的に一様な上面と、
前記実質的に一様な上面に配置される宣伝物と
を備えるゴルフ練習マット。
【請求項２】
前記上面が模擬芝面を有する
請求項１に記載のゴルフ練習マット。
【請求項３】
第１上面を有する本体と、
第２上面を有する着脱可能な部分と
を備え、
前記着脱可能な部分には、第２上面に宣伝物が配置される
ゴルフ練習マット。
【請求項４】
前記第１上面と前記第２上面とは、前記着脱可能な部分が前記本体に接続されると、実質的に一続きで一様に連結された表面を形成する
請求項３に記載のゴルフ練習マット。
【請求項５】
前記本体は、少なくとも二つの別の位置で前記着脱可能な部分が取り付けられように構成される
請求項３に記載のゴルフ練習マット。
【請求項６】
前記別の位置は、前記本体の側端部である
請求項５に記載のゴルフ練習マット。
【請求項７】
前記別の位置は、前記本体の角部である
請求項５に記載のゴルフ練習マット。
【請求項８】
前記着脱可能部分は、前記本体の側端部と結合するように構成される
請求項３に記載のゴルフ練習マット。
【請求項９】
前記本体の側端部は、前記着脱可能部分の歯付き側端部と結合するように構成される歯付き端部を有する
請求項８に記載のゴルフ練習マット。
【請求項１０】
前記本体の側端部は、前記着脱可能部分の側端部から延びる突出部を受け入れるように構成される受け入れ孔を有する
請求項８に記載のゴルフ練習マット。
【請求項１１】
前記着脱可能部分の側端部は、前記本体の側端部から延びる突出部を受け入れるように構成される受け入れ孔を有する
請求項８に記載のゴルフ練習マット。
【請求項１２】
前記着脱可能部分は、前記本体の角部と結合するように構成される実質的に三角形のコーナー部品を有する
請求項３に記載のゴルフ練習マット。
【請求項１３】
前記コーナー部品は、前記本体の角部を覆うように構成される内側ポケット部分を有する
請求項１２に記載のゴルフ練習マット。
【請求項１４】
前記本体の他の三つの角部と結合されるコーナー部品をさらに有する
請求項１３に記載のゴルフ練習マット。
【請求項１５】
請求項３に記載のゴルフ練習マットと、
上面に宣伝物を有する取り替え可能な着脱可能部分と
を備えるモジュール式ゴルフ練習マットシステム。
【請求項１６】
請求項１に記載のゴルフ練習マットと、
ゴルフボールを前記ゴルフ練習マット上の宣伝物領域に止めるように配置されると共に構成されるゴルフボール供給装置と
を備えるゴルフ練習マットシステム。
【請求項１７】
前記ゴルフボールは、前記宣伝物上で止まる
請求項１６に記載のゴルフ練習マットシステム。
【請求項１８】
前記ゴルフボール供給装置は、ゴルフボール供給の引き金となるレバーを有し、
前記レバーは、その表面に宣伝用の表示物を有する
請求項１６に記載のゴルフ練習マットシステム。
【請求項１９】
請求項１に記載のゴルフ練習マットと、
ゴルフボールが前記ゴルフ練習マット上の宣伝物領域を転がり通過するように配置されと共に構成されるゴルフボール供給装置と
を備えるゴルフ練習マットシステム。
【請求項２０】
前記ゴルフボールは、前記宣伝物上を転がり通過する
請求項１９に記載のゴルフ練習マットシステム。
【請求項２１】
前記ゴルフボール供給装置は、ゴルフボール配球の引き金となる操作レバーを有し、
前記操作レバーは、表面に宣伝用の表示物を有する
請求項１９に記載のゴルフ練習マットシステム。
【請求項２２】
複数のゴルフボールを収容するボール収容エリアと、
前記複数のゴルフボールのうちの１つのゴルフボールの配球の引き金となる操作レバーと、
前記複数のゴルフボールの残りを抑止しながら、前記操作レバーの操作により前記複数のゴルフボールのうちの１つのゴルフボールを供給することができるゴルフボール供給機構と、
表面に配置される取り外し可能な宣伝物と
を備えるゴルフボール供給装置。
【請求項２３】
前記表面は、前面であり、
前記宣伝物は、取り外し可能なパネルを介して前記前面上に配置される
請求項２２に記載のゴルフボール供給装置。
【請求項２４】
前記取り外し可能なパネルは、前記前面に設けられる取り付け用チャネルにスライド可能に挿入できる
請求項２３に記載のゴルフボール供給装置。
【請求項２５】
前記宣伝物は、前記取り外し可能なパネルに配置される複数の宣伝物部分を有する
請求項２４に記載のゴルフボール供給装置。
【請求項２６】
前記複数の宣伝物部分は、前記取り外し可能なパネルに取り外し可能なように取り付けられる
請求項２５に記載のゴルフボール供給装置。
【請求項２７】
前面は、ゴルフ練習場のティー・ディバイダーとして機能するように寸法取りされると共に構成される
請求項２２に記載のゴルフボール供給装置。
【請求項２８】
前記前面は、前に立つプレイヤーから角度をつけて離した平面上に配置される実質的に平坦な表面である
請求項２７に記載のゴルフボール供給装置。
【請求項２９】
前記平面は、水平面からおよそ６０〜７０度の角度に位置する
請求項２８に記載のゴルフボール供給装置。
【請求項３０】
実質的に三角柱状に形成される
請求項２８に記載のゴルフボール供給装置。
【請求項３１】
前記ボール収容エリアへのアクセス及び補充のために設けられるヒンジバックパネルをさらに備える
請求項３０に記載のゴルフボール供給装置。
【請求項３２】
音声出力装置をさらに備える
請求項２２に記載のゴルフボール供給装置。
【請求項３３】
前記音声出力装置は、音声の宣伝物を発する
請求項３２に記載のゴルフボール供給装置。
【請求項３４】
視覚ディスプレイパネルをさらに備える
請求項２２に記載のゴルフボール供給装置。
【請求項３５】
前記視覚ディスプレイパネルは、広告物を表示する
請求項３４に記載のゴルフボール供給装置。
【請求項３６】
前記宣伝物は、動画形式である
請求項３５に記載のゴルフボール供給装置。
【請求項３７】
連携するゴルフ練習マット上に立つゴルファーのスイングを記録するためのビデオカメラをさらに備え、
前記視覚ディスプレイパネルは、前記スイングに関連するアウトプットを表示する
請求項３４に記載のゴルフボール供給装置。
【請求項３８】
前記アウトプットは、前記スイングの動画映像である
請求項３７に記載のゴルフボール供給装置。
【請求項３９】
前記アウトプットは、スイング分析情報である
請求項３７に記載のゴルフボール供給装置。
【請求項４０】
前記視覚ディスプレイパネルは、ゴルフボールによる破損を回避するための保護カバーをさらに有する
請求項３４に記載のゴルフボール供給装置。
【請求項４１】
前記ビデオカメラは、センサによって起動される
請求項３７に記載のゴルフボール供給装置。
【請求項４２】
レバーをさらに備え、
前記ビデオカメラは、前記レバーによって起動される
請求項３７に記載のゴルフボール供給装置。
【請求項４３】
前記視覚ディスプレイパネルには、さらに宣伝物が設けられる
請求項３７に記載のゴルフボール供給装置。
【請求項４４】
ネットワークを介して連結される複数のかかるゴルフボール装置の一つであり、
前記視覚ディスプレイパネルにより表示される宣伝物は、中央サーバを介して制御される
請求項３４に記載のゴルフボール供給装置。
【請求項４５】
ゴルファーがゴルフスイングを視認できるように配置される鏡をさらに備える
請求項２２に記載のゴルフボール供給装置。
【請求項４６】
前記宣伝物は、連続して表示される複数の宣伝用の広告を有する
請求項３５に記載のゴルフボール供給装置。
【請求項４７】
一体化された座席エリアをさらに備える
請求項２２に記載のゴルフボール供給装置。
【請求項４８】
少なくとも一つの飲料ホルダーをさらに備える
請求項４７に記載のゴルフボール供給装置。
【請求項４９】
ティー・ディバイダー防壁と、
前記ティー・ディバイダー防壁に対して適切な方向へゴルフボールを打つ際に、ゴルファーが自分のスイングの少なくとも重要な部分を見ることができるように構成される反射面と
を備えるゴルフティー・ディバイダー。
【請求項５０】
ゴルフボール供給機構と、
ティー・ディバイダー防壁に対して適切な方向へゴルフボールを打つ際に、ゴルファーが自分のスイングの少なくとも重要な部分を見ることができるように構成される、前記ディバイダーに配置される反射面と
を備えるゴルフボール供給装置。
【請求項５１】
前記ゴルフボール供給機構は、ゴルフ打撃用マットの下から前記ゴルフ打撃用マットの孔を通してゴルフボールを下から上へ持ち上げて供給するように動作する
請求項２２に記載のゴルフボール供給装置。
【請求項５２】
ゴルフ練習マットと、
前記ゴルフ練習マットに実質的に隣接して配置される一片の材料と
を備え、
前記一片の材料は、その表面に広告物を有する
ゴルフ練習場広告システム。
【請求項５３】
前記表面は、実質的に水平である
請求項５２に記載のゴルフ練習場広告システム。
【請求項５４】
前記表面は、前記ゴルフ練習マット上に立っているゴルファーの方向に向かって上方に傾斜している
請求項５２に記載のゴルフ練習場広告システム。
【請求項５５】
ゴルフ練習マットと、
ティー・ディバイダーと、
可視面に宣伝物を有する広告台と
を備え、
前記広告台は、前記ゴルフ練習マットと前記ティー・ディバイダーとの間のスペースに配置される
ゴルフ練習場広告システム。
【請求項５６】
前記広告台は、実質的に一側面で前記ゴルフ練習マットに隣接していると共に実質的に別の側面で前記ティー・ディバイダーの基底部に隣接している
請求項５５に記載のゴルフ練習場広告システム。
【請求項５７】
ゴルフ練習マットと、
ゴルフボール供給装置と、
可視面に宣伝物を有する広告台と
を備え、
前記広告台は、前記ゴルフ練習マットと前記ゴルフボール供給装置との間のスペースに配置される
を備えるゴルフ練習場広告システム。
【請求項５８】
前記広告台は、実質的に一側面で前記ゴルフ練習マットに隣接していると共に実質的に別の側面で前記ゴルフボール供給装置の基底部に隣接している
請求項５７に記載のゴルフ練習場広告システム。
【請求項５９】
ゴルフ練習マットと、
表面に宣伝物を有する広告媒体と
を備え、
広告媒体は、前記ゴルフ練習マットの３０ｃｍ以内に配置される
ゴルフ練習場広告システム。
【請求項６０】
前記表面は、ゴルファーがティーの位置に集中しているときに実質的にゴルファーの周辺視野内に入るように、前記ゴルフ練習マット上に立っているゴルファーの方向に向かって上向きに傾斜する
請求項５９に記載のゴルフ練習場広告システム。
【請求項６１】
前記広告媒体は、ティー・ディバイダーである
請求項５９に記載のゴルフ練習場広告システム。
【請求項６２】
前記ティー・ディバイダーの基底部は、前記ゴルフ練習マットに実質的に隣接している
請求項６１に記載のゴルフ練習場広告システム。
【請求項６３】
前記広告媒体は、ゴルフボール供給装置である
請求項５９に記載のゴルフ練習場広告システム。
【請求項６４】
前記ゴルフボール供給装置の基底部は、前記ゴルフ練習マットに実質的に隣接している
請求項６３に記載のゴルフ練習場広告システム。
【請求項６５】
ティーエリアから打たれてそれたゴルフボールを止めるように構成されるティー・ディバイダー部分と、
一体化される座席エリアと
を備えるゴルフ練習場ティー・ディバイダー・ユニット。
【請求項６６】
広告面と、
前記広告面に配置される宣伝物と
をさらに備える請求項６５に記載のゴルフ練習場ティー・ディバイダー・ユニット。
【請求項６７】
前記宣伝物は、取り外しできるように前記広告面に取り付けられる
請求項６６に記載のゴルフ練習場ティー・ディバイダー・ユニット。
【請求項６８】
ティーエリアから打たれてそれたゴルフボールを止めるように構成されるティー・ディバイダー部分と、
地面近くの基底部に配置され、ティーエリアに立つゴルファーの方向に向かって上向きに傾斜する広告面と
を備え、
前記広告面上の宣伝物は、ゴルファーがティーエリアに集中する際に、実質的にその周辺視野内に入る
ティー・ディバイダー装置。
【請求項６９】
ゴルフボール収容エリアと、
ゴルフボールを供給するための機構と、
起動レバーと
を備え、
前記起動レバーは、可視面に宣伝物を有する
ゴルフボール供給装置。
【請求項７０】
ゴルフボール収容エリアと、
ゴルフボールを供給するための機構と、
起動レバーと、
計時手段または時報受信手段を有し日時を表示する可視ディスプレイと
を備えるゴルフボール供給装置。
【請求項７１】
ティーエリアから打たれてそれたゴルフボールを止めるように構成されるティー・ディバイダー部分と、
計時手段または時報受信手段を有し日時を表示する可視ディスプレイと
を備えるティー・ディバイダー装置。
【請求項７２】
ゴルフボール収容エリアと、
ゴルフボールを供給するための機構と、
起動するレバーと、
ゴルファーに気流を向けるための冷却システムと
を備えるゴルフボール供給装置。
【請求項７３】
前記冷却システムは、少なくとも１つの送風機を有する
請求項７２に記載のゴルフボール供給装置。
【請求項７４】
ティーエリアから打たれてそれたゴルフボールを止めるように構成されるティー・ディバイダー部分と、
ゴルファーに気流を向けるための冷却装置と
を備えるティー・ディバイダー装置。
【請求項７５】
前記冷却システムは、少なくとも１つの送風機を有する
請求項７４に記載のティー・ディバイダー装置。
【請求項７６】
ティーエリアから打たれてそれたゴルフボールを止めるように構成されるティー・ディバイダー部分と、
ゴルフクラブヘッドの挿入口を有する一体型ゴルフクラブヘッド洗浄機と
を備えるティー・ディバイダー装置。
【請求項７７】
広告面と、
前記広告面に配置される宣伝物と
をさらに備える請求項７６に記載のティー・ディバイダー装置。
【請求項７８】
ゴルフボール収容エリアと、
ゴルフボールを供給するための機構と、
起動操作レバーと、
ゴルフクラブヘッドの挿入口を有する一体型ゴルフクラブヘッド洗浄機と
を備えるゴルフボール供給装置。
【請求項７９】
広告面と、
前記広告面に配置される宣伝物と
を備える請求項７８に記載のゴルフボール供給装置。
【請求項８０】
前記アウトプットのスイング分析情報は、連携する計算装置にて動作するゴルフスイング分析ソフトウェアにより表示される
請求項３９に記載のゴルフボール供給装置。
【請求項８１】
前記ゴルフスウィング分析ソフトウェアは、計算ユニット上で実行される
請求項８０に記載のゴルフボール供給装置。
【請求項８２】
前記ゴルフスウィング分析ソフトウェアは、操作可能に接続される中央計算ユニットによって実行される
請求項８０に記載のゴルフボール供給装置。
【発明の詳細な説明】
【技術分野】
【０００１】
本発明は、ゴルフボール打撃練習場事業に関し、より詳細には、取り外し可能な広告部分を備えるティーマット及び表面に広告を表示すると共にティー・ディバイダーとしても使用することができるゴルフボール供給装置に関する。
【背景技術】
【０００２】
世界中に広がるゴルフ産業は、最大ではないとしても、世界における大規模なスポーツ産業のうちの一つである。ゴルフ事業は、地元のゴルフ用品小売店から打撃練習場、公営ゴルフコース、民間のカントリークラブにまで及ぶ。ゴルファーは、通常、社会の中流から上流の社会経済層に属する人たちであり、比較的、自由に使えしかも投資をすることができる水準の収入を得ているため、広告主にとっては格好の広告対象である。したがって、広告内容をゴルファーに伝える新しい方法が、絶えず求められている。
【０００３】
例えば、ルーリーらに付与された米国特許第５,４４３,８７０号には、ゴルフ場の状態を疑似体験できるように設計されたゴルフボール打撃用マットが開示されている。マット上には、人工芝部分が二つあり、一方の人工芝部分は長い人工芝と模擬的な丘とを有する。他方の人工芝部分は平坦であり短い人工芝を有する。そして、これら二つの人工芝部分は芝の無い部分によって分離されており、その芝のない部分は広告に利用できる。芝の無い部分は、そこからゴルフボールを打つようには設計されていない。さらに、芝の無い部分とその部分に掲載された広告とは、広告物が長期にわたってはがれたり変化したりすることがないようにマットの残りの部分と一体化されている。
【０００４】
他のゴルフマットには、しるし等はあるが、広告スペース、特に取り外し可能な又は交換可能な広告部分は存在しない。例えば、ウィルソンらに付与された米国特許第５,３３３,８７５号を見ると、ゴルフボールが置かれる場所かその近くに概ね平行にならべられた第一及び第二のストライプ模様を有するゴルフボール打撃用マットが開示されている。このようなゴルフマットでは、ゴルフボール打撃練習者は、ゴルフボールのストライプと見比べながら、ゴルフクラブのヘッドの位置合わせをすることができる。また、シャホールに付与された米国特許第４,０００,９０５号を見ると、ボールにアドレスする際にゴルファーを誘導するマットが開示が開示されている。このマットには、足の位置及び角度、ボールの配置、ならびにクラブが通過すべき正しい方向を示すガイドラインが表示されている。同様に、グラボウスキーの公開番号２００１／００３６８６９の米国公開特許出願には、異なる色の複数の足型と、各足型と使用するクラブとの関連が示されるクラブ番号とが表示されるゴルフマットが開示されている。つまり、このゴルフマットでは当該模様がゴルフボールの水平及び垂直の中心線に基づき、使用する特定のクラブに適切な位置に配置されており、その結果、ゴルファーはゴルフボールに対して正しくアドレスすることができる。
【０００５】
ゴルフマットに加えて、ゴルフ練習場のティー・ディバイダーは、効率的及び相乗的な方法で広告物と組み合わせて利用されていない。典型的なゴルフティー・ディバイダーは、スコットら(以下、「スコット」という)に付与された米国特許第５,４８２,２６９号、及びウイテックら(以下、「ウイテック」という)に付与された米国特許第５,５８６,９４２号に開示されている。スコットに付与された米国特許第５,４８２,２６９号では、ティー・ディバイダーは、フレームと、ロープによってフレームの上部と下部とに固定されたデフレクター・シートとを備えている。ティー・ディバイダーは、ゴルフ練習場で隣のゴルファーらを隔て、ゴルファーが打ったボールが別のゴルファーに当たることを防ぐ。ウイテックに付与された米国特許第５,５８６,９４２号に係るティー・ディバイダーは、スコットに付与された米国特許第５,４８２,２６９号に係るティー・ディバイダーと同様の目的を達成するが、一体構造であり、バケツ一杯のゴルフボールを収容するためのポケットと、ゴルフクラブを収容するための溝とを備える。スコットに付与された米国特許第５,４８２,２６９号にもウイテックに付与された米国特許第５,５８６,９４２号にも、ティー・ディバイダーの一部として取り外し可能な広告物を据え付ける装備は存在しない。
【０００６】
自動ゴルフボール供給装置も、ゴルフ練習場でますます広く利用されつつある。一般に、ゴルフボール供給装置には二つのタイプがある。すなわち、ボールをマットの下から上げてゴルフボールを供給する装置と、側面からマットの上にゴルフボールを供給する装置である。下からゴルフボールを出す供給装置の例についてはドイツ特許第DE１９６０３５４３号を参照されたい。この特許公報には、プレイヤーがゴルフクラブを使ってレバーが押し下げられると、供給シャフトからゴルフボールがティー上に転がり出るゴルフマットが開示されている。なお、このゴルフマットでは、レバーが開放されると、ゴルフボールがマット表面上に運ばれてくる。公開番号２００３／０１６２５９８の米国公開特許出願では、エッカードジュニアらが別のゴルフボール供給装置を開示しており、このゴルフボール供給装置では、レバーが押し下げられると、ティーがゴルフマットの表面よりも低い位置へ下がりゴルフボール配送装置がティーにボールを載せ、レバーが開放されると、ティーの上に置かれたボールが、ゴルファーの打撃位置に上げられる。なお、マットより低い位置からボールをティーの上に置くゴルフボール供給装置には、繰り返し使用されるとマットがすり減ってきてマットの交換が必要になるという不都合がある。ゴルフボール供給装置と一体化しているマットの交換は、ゴルフ練習場経営者にとって大きな負担となりうる。
【０００７】
このような不都合は側面からゴルフボールをティーの上に置くゴルフボール供給装置にもよくみられるが、マットがすり減った際に、ゴルフボール供給装置の一部を交換するのにさほど費用がかからない。例えば、アンダーソンに付与された米国特許第６,６８５,５７３号には、利用者の操作なしで、ティーにゴルフボールをのせることができるポータブル装置が開示されている。この装置は、センサを使用して、新しいボールが必要な時を判断し、アームを使ってティー上にボールを降ろす。また、コモリらに付与された米国特許第５,２８２,６２８号には、ゴルフボールを直接マットの上に置く打撃用自動ゴルフボール供給装置が開示されている。同様に、マックリンに付与された米国特許第５,９９６,８３９号にも、ゴルフボール供給装置が開示されている。しかし、これらの装置のいずれも、個々のティー・ディバイダーが必要であり、ゴルフ練習場経営者は、個々のティー・ディバイダー及びゴルフボール供給装置を購入及び維持する必要がある。
【０００８】
あいにく、上記装置のいずれでも、ゴルフマット、ティー・ディバイダー及びゴルフボール供給装置に、取り外し可能でかつ交換可能なエリアが設けられ、そのエリアが広告利用の場として活用されていることはない。さらに、上記のいかなるゴルフボール供給装置も、ティー・ディバイダーと一体化されていない。そして、上に述べられた各装置は独立して作動するが、これらの装置には、広告スペースが調和良く組み合わされつつゴルフ練習場事業を協調的に改善するゴルフマット、ティー・ディバイダー及びゴルフボール供給装置を備えるシステムが設けられていない。
【０００９】
したがって、取り外し可能でかつ交換可能な広告をゴルフマットに掲載することができるシステムの必要性は依然として残っている。また、一体化したゴルフボール供給ユニットを組み込んだティー・ディバイダーの必要性も依然として残っている。また、取り外し可能で交換可能な広告部分を備えるゴルフマットと協調的に機能し、かつ多様なその他の機能及び利点を有する一体化したティー・ディバイダー及びゴルフボール供給装置の必要性は依然として残っている。
【発明の開示】
【００１０】
本発明の目的は、上述の問題を鑑みて、様々な特徴及び利点をもつように改善されたゴルフ広告システムを提供することである。
【００１１】
本発明としては、その一部に広告物を有するゴルフドライブマット等が挙げられる。広告物とは、任意の宣伝用メッセージ、ディスプレイ、または広告である。広告物は、マットの残りの部分と実質的に一様であるマットの一部分であるように表示される。広告物は、異なる広告物を表示している別の部分と取り替えることができるように、マットの取り外し可能な部分に表示されることが好ましい。
【００１２】
かかる取り外し可能な部分を取り付けるために様々な選択肢が考えられるが、かかる部分を着脱可能で装着する適当な手段が本発明の範囲内と想定される。
【００１３】
本発明の改良された実施態様としては、ゴルフ配球ユニットがある。ゴルフ配球ユニットは、ティー・ディバイダーとしても付加的に使用することができる。ゴルフ配球ユニットはゴルファーに対向する面を有しており、その面は広告物掲載の媒体として機能する。広告物は取り外し可能であって他の広告物と取り替えができることが好ましい。
【００１４】
本発明のゴルフ配球ユニットの他の実施態様では、起動レバー自体に表示された広告等が採用される。さらに、他の実施態様では電子ディスプレイパネルが採用される。電子ディスプレイパネルは、視覚ディスプレイを介して広告物を表示するものとして利用することができる。かかる広告物は、静止画または動画の形式で表示することができる。また、オーディオコンポ等が採用されてもよい。他の実施態様では、静止画はディスプレイ上で循環させることができる。
【００１５】
他の実施態様では、ビデオカメラをゴルフ配球ユニットに設けることができる。ビデオカメラは、ゴルファーによって、あるいは動作センサや熱センサのようなセンサを通して始動させることができる。ビデオカメラはゴルファーのスイングの少なくとも一部を記録するために利用される。ディスプレイはスイングの録画、スイングの動画、その他のスイング分析情報、またはスイングの分析に関連した指導的情報のいずれかを表示するために利用することができる。
【００１６】
また、ゴルフ配球ユニットには、ゴルファーが自分のスイングを見ることができるように方向を調整した反射面または鏡を設けることができる。
【００１７】
本発明のゴルフ配球ユニットは、本発明のマットと組み合わせられることにより、相乗的な広告効果をもたらす独特のシステムとなり得る。また、このゴルフ配球ユニットは、ゴルフボールが広告物のある領域に転がって行ったり、その上に止まったりするようにゴルフボールを供給することができる。このようにすることにより当該領域へ注目が集まる。また、このゴルフ配球ユニットでは、ゴルフボールはマットに設けられる孔を通してマットの下から供給することもできる。また、一体化した座席エリア及びオプションの飲料ホルダーを設けることもできる。さらに、複数の上記ユニットは、ディスプレイパネルをコントロールするサーバあるいは集中計算ユニットを介して、集積及び結合させることができる。
【００１８】
本発明の大きな目的の一つは、ゴルファーがゴルフ活動に集中している状態にあるときに、ゴルファーに効果的に広告物を見せることである。この状態は、特定のスポーツでは、「ゾーン」として知られている。この状態では、ゴルファーは、活動に夢中になっており、ほとんど周囲の状況を気に止めず、ドライブマットでのスイング練習に非常に集中している。ゴルファーは、ゴルフ練習場に足を踏み入れると、素振りの動作を行う。そのとき、ゴルファーは、常に、グリップ、スイング及び最終的にボールに集中力を向ける。ゴルファーがボールにアドレスしている間、ゴルファーの目はボールが配置されたマット上に向けられている。本発明では、このような精神状態にあるゴルファーに受け入れられるように広告物を配置することを一つの目的としている。また、マットに配置される広告物は、ゴルファーにとって好ましい「スイングライン」となり得る。また、このような相乗効果が得られるゴルフボール供給装置は、その表面に広告物を表示することもできる。かかる実施態様では、ゴルファーは、ゴルフボールを出すためにレバーを押すたびに、そのレバーの表面の宣伝物を見る。この効果は、広告の観点からみて十分な影響力を持つ。そして、相乗効果的な指示、その週のこつや秘訣を、ゴルフボール供給装置またはマットの付近や周囲に目立つように表示することもできる。
【００１９】
本発明のその他の特徴及び利点は、以下の図面と併せて、以下に詳細な説明にて明らかにする。
【図面の簡単な説明】
【００２０】
【図１】マット表面の広告物の斜視図である。
【図２】取り外し可能な部分の一取り付け態様を示す斜視図である。
【図３Ａ】取り外し可能な部分の他の取り付け態様を示す斜視図である。
【図３Ｂ】取り外し可能な部分の他の取り付ける態様を示す斜視図である。
【図４】取り外し可能な部分の他の取り付け態様を示す斜視図である。
【図５】ゴルフ配球ユニット及びマットの配置を示す斜視図である。
【図６】ゴルフ配球ユニットに対して取り外し可能な広告物、並びにゴルフ配球ユニット及びマットの配置を示す斜視図である。
【図７】交換可能な広告部分を備える取り外し可能なパネルを有する取り外し可能な広告物の組立体の斜視図である。
【図８Ａ】本発明のゴルフ配球ユニットの配球メカニズムを示す図である。
【図８Ｂ】本発明のゴルフ配球ユニットの配球メカニズムを示す図である。
【図９】ボール収納エリアへのアクセスを提供するためのゴルフ配球ユニットの後部斜視図である。
【図１０】配球ユニット及びマットのシステムの斜視図である。
【図１１】本発明のシステムの一つの実施例の斜視図である。
【図１２】ゴルフ配球ユニット及びマットの配置図である。
【図１３Ａ】ゴルフ配球ユニット及びマットの配置図である。
【図１３Ｂ】ゴルフ配球ユニット及びマットの配置図である。
【図１４】一体化した座席エリアを備えたゴルフ配球ユニットの斜視図である。
【図１５】マットの下に配球経路を備えたゴルフ配球ユニットの斜視図である。
【図１６】座席エリア及び角度をつけた広告面を備えたゴルフ配球ユニットの斜視図である。
【発明を実施するための最良の形態】
【００２１】
本発明は多くの様々な形態で実施することができ、図面や以下に詳細に説明する本発明の好ましい実施形態は、発明の原理の例証に過ぎず、本発明の広範な態様を例示された実施例のみに制限することを意図していない。
【００２２】
本発明はゴルフ広告システムである。このシステムの一つ態様には、ゴルフ練習マット１０が含まれる。このマット１０には、人工芝または他の適当な素材等、ゴルフボールの打撃に適した実質的に一様な上面２０が設けられることが好ましい。マット１０には、上面２０に宣伝物３０が配置される。
【００２３】
他の好ましい実施態様では、マット２０は、第１上面５０を有する本体部分４０と、第２上面７０を有する着脱可能な部分６０とから形成される。宣伝物３０は、着脱可能な部分６０の第２上面７０に配置される。したがって、取り外し可能な部分６０を取り外し、任意に、異なる宣伝物３０を有する部分と取り替えることができる。なお、この部分６０が取り付けられた際、表面５０及び表面７０は実質的に一続きで一様に連結され、その結果、上面２０が形成されることになる。
【００２４】
マット１０は、両側面または両端等、少なくとも二箇所で、着脱可能な部分６０を取り付けることができるように構成されている方が好ましい。例えば、二つ、三つ、または四つの側面に取り付けることができる。八角形のマットのように、四つを超える側面を持つマットの場合、追加の側面あるいは箇所は、任意にこのような方法により構成される。取り付け方法としては、図２に示されるような歯付きの端部を利用する方法、または図３Ａ及び３Ｂで示されるような突出部と溝穴の配列等を利用する方法が考えられるが、その他任意の適切な取り付け方法を利用することができる。突出部と溝穴とを利用する取り付け方法では、突出部９０を穴８０に差し込めむようになっている。なお、突出部９０は本体部分４０または取り外し可能部分６０のいずれかに設けることができ、穴８０は、突出部９０が設けられる部分ではない部分に設けられる。
【００２５】
あるいは、図４に示されるように、取り外し可能部分６０を三角形状等のコーナー部品とすることもできる。かかる場合、ゴルファーがマット１０上で使用するフレーム部分を設けることができる。三角形の部分は本体部分４０のコーナーを覆うように構成された内側ポケット部分を有することが好ましい。かかる三角形部分６０は、一つ、二つ、三つ、または四つ使用することができる。当該部分６０は、他の広告物の代わりに、またはその追加広告物として使用することができる。
【００２６】
本システムの別の実施例では、ゴルフボールを配球するための配球装置１００が設けられる。他の実施態様では、上記マット１０は、配球装置１００と組み合わせて設けられる。なお、本システムは、配球装置１００から配球されたゴルフボールがマット１０上の宣伝用領域で止まるように構成されることが好ましい。宣伝用領域は、宣伝物３０の周辺部分である。あるいは、図１３Ａに示されるように、ゴルフボールを宣伝物３０そのものの上で止まらせることもできるし、図１３Ｂに示されるように、ゴルフボールが宣伝物３０の上を通るようにすることもできる。これらのいずれの方法でも、ゴルファーの付加的な関心は、宣伝物３０に向けられる。宣伝物あるいは指示表示物２８０は、任意に追加することができる。本発明の他の実施例では、配球装置１００は、マット１０の穴３５０を通して、マット１０の下からゴルフボールを配球する。
【００２７】
本発明のさらなる他の実施例では、配球装置１００は操作レバー１１０を備える。レバー１１０には、その表面に直接、宣伝物が付加されている。したがって、ゴルファーは、レバー操作時において宣伝物に注目することになる。
【００２８】
本発明の配球装置１００は、複数のゴルフボールを収容するボール収容エリア１２０を有することが好ましい。操作レバー１１０は、複数のゴルフボールのうちの一つを供給する引き金として設けられている。この配球装置１００は、突出部を有する内部機構により残りのボールを抑止しながら、一つのボールを配球することができる。ただし、ゴルフボールの配球に適切ないかなる方法も当該装置と組み合わせて利用することができ、それは本発明の範囲内である。
【００２９】
配球装置１００にはゴルファーから見える表面に宣伝物１３０が配置されていることが好ましい。宣伝物１３０は、他の宣伝物１３０と取り替えできるように取り外し可能であることが好ましい。なお、かかる取り外し可能な宣伝物を取り付けるのに必要な適切な手段は、本発明の範囲内である。一例としては、図６に示されるように、チャネル１５０に取り付けられる取り外し可能なパネル１４０が考えられる。パネル１４０は、図７で示されるようなそれぞれが取り外し可能なパネル１６０を有する複数の部分を任意に持つこともできる。このようにすれば、各部分に個別の広告を配置することができ、必要によって取り替えることができる。
【００３０】
配球装置１００は、ゴルフ練習場のティー・ディバイダーとして機能するように、適切なサイズにされ、構成されることが理想的である。前面１７０は、配球装置１００の前に立つ個人から角度をつけて離してある。一つの好ましい実施例では、当該面は、安全な方法でボールをそらすために、水平面からおよそ６０〜７０度の角度に調整される。他の好ましい実施例では、配球装置１００は、実質的に三角柱状に形成され、必要に応じて角部が丸められる。ヒンジバックパネル１８０は、ボール収納エリア１２０にアクセスし、また、同エリアにゴルフボールを補充するために設けられる。配球装置１００には、必要に応じて人が座れるような、一体化した座席３００のエリアが設けられており、さらに、一つ以上の飲料ホルダー３１０が設けられることも可能である。かかる実施形態では、ゴルフボールを補充するための穴３２０を形成することも可能である。一体化した座席エリア３００は、ティー・ディバイダーまたはボール配球ユニットのいずれか、またはその両方と組み合わせて使用することができる。
【００３１】
別の実施形態では、配球装置１００は、例えばオーディオ形式で宣伝物を出力できるよう、音声出力装置１９０を有することもできる。他の実施形態では、装置１００は視覚ディスプレイパネル２００を有する。視覚ディスプレイパネル２００は、液晶ディスプレイ、その他のスクリーンやモニター等、任意の適切なディスプレイパネルとすることができる。視覚ディスプレイパネル２００はゴルフボールやその他の衝撃からの破損を防ぐために、保護カバー２１０によって保護されることが理想的である。視覚ディスプレイパネル２００は、動画形式、静止画、または文字で、宣伝物を提供することができる。例えば、宣伝物を、静止画を次から次へと連続させて循環させる形で提供することもできる
本発明のさらなる実施例では、配球装置１００はさらにビデオカメラ２２０を備え、付随しているゴルフ練習マット１０の上に立っているゴルファーのスイングを記録する。なお、当該カメラは必要ならばカバー２３０で保護することもできる。この視覚ディスプレイは、スイングの録画、スイングの動画、またはスイングの分析から生じる様々な他の情報等、様々なアウトプットオプションを表示することができる。かかるアウトプットは、スイングの分析に基づいたフィードバックや指導であってもよい。かかるアウトプットは、ＰＣやノートパソコン等の内部計算ユニットあるいは当該装置とネットワークでつながった中央計算ユニットで実行されるスイング分析ソフトウェアで生成することができる。カメラの録画を開始させるために、熱センサ、運動センサまたは他の適当なセンサ等のセンサ２４０を使用することができる。あるいは、ゴルファーがスイッチやレバーを操作することで録画開始のきかっけを作れるようにしてもよい。かかる場合、例えば、ゴルフクラブを使用して起動できるようなレバー２７０が便利である。一旦フィードバックが表示されると、宣伝物はディスプレイパネル２００上に引き続き表示されることが可能である。
【００３２】
本システムの他の実施例では、図１１において概念的に示されるように、複数の配球装置１００が、ネットワークを介して連結されている。中央サーバ、すなわち計算装置２５０は、各配球装置の出力をコントロールする。
【００３３】
本システムの別の有用な側面では、図１３Ａ及び１３Ｂに示されるように、ゴルファーが自分のスイングを見ることができるように配置される反射面が設けられる。反射面２６０は、鏡または鏡状の表面、あるいはゴルファーが自分の姿を見ることができるように十分に反射する特性を備えたその他の表面とすることができる。反射面２６０は、ティー・ディバイダーとのみ組み合わせて、またはゴルフボール配球装置と組み合わせて使用することができる。
【００３４】
さらなる特徴及び特徴の組み合わせが、本発明の範囲内で、別に想定される。例えば、ある実施形態では、ゴルフ練習場広告システムは、ゴルフ練習マット１０と、連結しているか否に関わらず実質的にマット１０に隣接して配置される一片の部材６０と備える。当該部材６０には、その表面に宣伝物３０が配置される。当該表面は実質的に水平か、または、マット１０の上に立つゴルファーの方向に沿って上方に傾斜してもよい。次に、マット１０と、ティー・ディバイダー、配球ユニットのいずれか、またはその両方に関連する装置との間のスペースは、広告台として利用される。その広告台は、マット１０とティー・ディバイダー、または配球装置との間のスペースに配置されることになる。当該スペースは、マット１０及びユニットの底辺に密接していてもよいし、各々のすぐ近くにあってもよい。
【００３５】
本発明のシステムは、単に、広告媒体がマットから３０ｃｍ以内に配置されるゴルフ練習マット１０と、その表面に宣伝物を有する広告媒体とから成るゴルフ練習場広告システムであってもよい。このように、広告がゴルファーの近くにあることにより、ゴルファーは、従来の配置で可能であったよりも、広告へより注意を向けるようになる。理想的には、広告面１４０は、マット上に立っているゴルファーの方へ上向きに傾斜しているのが好ましい。このようにすれば、ゴルファーがティーの場所に集中している間、実質的にゴルファーの周辺視野内にあることになる。広告媒体はティー・ディバイダーまたは配球ユニットあるいはその両方であり得る。いずれの場合も、配球装置は、必要に応じて、マット１０に実質的に隣接する。
【００３６】
ティー・ディバイダー装置は、ティーエリアから打たれてそれたゴルフボールを止めるように構成されたティー・ディバイダー部分と、地表近くの基底部に位置してティーエリアに立つゴルファーの方へ上向きの角度がつけられた広告面とを備えることができる。このようにすれば、広告面の宣伝物は、ティーエリアに集中しているゴルファーの周辺視野内に実質的に入ることになる。
【００３７】
ゴルフボール配球装置には配球装置を起動する起動レバーが設けられ、その起動レバーには、見やすい表面に宣伝物が配置される。別の変形例では、配球装置あるいはティー・ディバイダーには、任意に、その日の時刻を表示するための視覚ディスプレイを設けることができる。この視覚ディスプレイは、デジタル時計のような計時手段あるいは時間信号受信手段を有しており、内部計時メカニズムを持つことができるか、または時間情報を提供する無線信号を受け取ることができる。当該配球装置は、さらに、一つ、二つ、またはそれ以上の送風機３４０のような、ゴルファーに対して気流を向けるための冷却システムを有することもできる。別の実施形態では、当該配球装置は、ゴルフクラブヘッドの挿入口を有する装置内に一体化したゴルフクラブヘッド洗浄機３６０を備えていてもよい。
【００３８】
特定の実施例が図示され記述されてきたが、本発明の精神から著しく離れることなく多数の変更例が想起され、保護の範囲は添付の請求の範囲によってのみ制限される。
【図１】
2007534437.tif 000003
【図２】
2007534437.tif 000004
【図３Ａ】
2007534437.tif 000005
【図３Ｂ】
2007534437.tif 000006
【図４】
2007534437.tif 000007
【図５】
2007534437.tif 000008
【図６】
2007534437.tif 000009
【図７】
2007534437.tif 000010
【図８Ａ】
2007534437.tif 000011
【図８Ｂ】
2007534437.tif 000012
【図９】
2007534437.tif 000013
【図１０】
2007534437.tif 000014
【図１１】
2007534437.tif 000015
【図１２】
2007534437.tif 000016
【図１３Ａ】
2007534437.tif 000017
【図１３Ｂ】
2007534437.tif 000018
【図１４】
2007534437.tif 000019
【図１５】
2007534437.tif 000020
【図１６】
2007534437.tif 000021
【手続補正書】
【提出日】平成18年2月24日(2006.2.24)
【手続補正１】
【補正対象書類名】特許請求の範囲
【補正対象項目名】全文
【補正方法】変更
【補正の内容】
【特許請求の範囲】
【請求項１】
第１上面を有する本体と、
第２上面を有する一つまたは複数の着脱可能部分と
を備え、
前記着脱可能な部分には、第２上面に宣伝物が配置される
ゴルフ練習マット。
【請求項２】
第１上面と第２上面との表面積の合計に等しい面積の上面を有する
請求項１に記載のゴルフ練習マット。
【請求項３】
第１上面と第２上面とは、前記着脱可能な部分が前記本体に接続されると、実質的に一続きで一様に連結された上面を形成し、
前記上面は、第１上面と第２上面との表面積の合計に等しい面積の表面を有する
請求項１又は２に記載のゴルフ練習マット。
【請求項４】
前記本体は、少なくとも二つの別の位置で前記着脱可能な部分が取り付けられように構成される
請求項３又は４に記載のゴルフ練習マット。
【請求項５】
前記別の位置は、前記本体の別の側端部を有する
請求項４に記載のゴルフ練習マット。
【請求項６】
前記別の位置は、前記本体の別のコーナー部分を有する
請求項４に記載のゴルフ練習マット。
【請求項７】
前記本体および着脱可能部分は、互いの側端部に沿って相対的に構成される
請求項１から４のいずれかに記載のゴルフ練習マット。
【請求項８】
前記本体の側端部及び着脱可能部分の側端部は、係合可能に嵌み合う、離間して配置される歯を有する、
請求項７に記載のゴルフ練習マット。
【請求項９】
前記本体の側端部は、一つ又は複数の穴を有し、
前記着脱可能部分の側端部は、前記穴に差し込むように構成される対応の突出部を有する
請求項７に記載のゴルフ練習マット。
【請求項１０】
前記着脱可能部分の側端部は、一つ又は複数の穴を有し、
前記本体の側端部は、穴に差し込むように構成される対応の突出部を含む、請求項7に記載のゴルフ練習マット。
【請求項１１】
前記着脱可能部分は、前記本体の角部と結合するように構成される実質的に三角形のコーナー部品を有する
請求項１に記載のゴルフ練習マット。
【請求項１２】
前記各コーナー部品は、前記本体の角部を覆うように構成される内側ポケット部分を有する
請求項１１に記載のゴルフ練習マット。
【請求項１３】
請求項１から１２のいずれかに記載のゴルフ練習マットと、
ゴルフボールが宣伝物上を転がるように又はゴルフボールが宣伝物を通過するように配置されると共に構成されるゴルフボール供給装置と
を備えるゴルフ広告システム。
【請求項１４】
前記ゴルフボールは、前記宣伝物上で止まる
請求項１３に記載のゴルフ広告システム。
【請求項１５】
前記ゴルフボール供給装置は、ゴルフボール配球の引き金となる起動装置を有し、
前記起動装置は、表面に宣伝用の表示物を有する
請求項１３又は１４に記載のゴルフ広告システム。
【請求項１６】
ゴルフボール配球装置は、複数のゴルフボールを収容するボール収容エリアと、前記複数のゴルフボールのうちの１つのゴルフボールの配球の引き金となる操作レバーと、前記複数のゴルフボールの残りを抑止しながら、前記操作レバーの操作により前記複数のゴルフボールのうちの１つのゴルフボールを供給することができるゴルフボール供給機構と、表面に配置される取り外し可能な宣伝物とを有する
請求項１３又は１４に記載のゴルフ広告システム。
【請求項１７】
前記ゴルフボール供給機構の表面は、前面であり、
前記宣伝物は、取り外し可能なパネルを介して前記前面上に配置される
請求項１６に記載のゴルフ広告システム。
【請求項１８】
前記取り外し可能なパネルは、前記前面に設けられる取り付け用チャネルにスライド可能に挿入できる
請求項１７に記載のゴルフ広告システム。
【請求項１９】
前記宣伝物は、前記取り外し可能なパネルに配置される複数の宣伝物部分を有する
請求項１８に記載のゴルフ広告システム。
【請求項２０】
前記複数の宣伝物部分は、前記取り外し可能なパネルに取り外し可能なように取り付けられる
請求項１９に記載のゴルフ広告システム。
【請求項２１】
前記ゴルフボール供給装置は、ゴルフ練習場のティー・ディバイダーとして機能するように寸法取りされると共に構成される
請求項１３から２０のいずれかに記載のゴルフ広告システム。
【請求項２２】
前に立つプレイヤーに対向する前記ゴルフボール供給装置の前面は、実質的に平坦な表面であり、前記プレイヤーから角度をつけて離した平面上に配置される、請求項２１に記載のゴルフ広告システム。
【請求項２３】
前記平面は、水平面からおよそ６０〜７０度に位置する
請求項２２に記載のゴルフボール広告システム。
【請求項２４】
前記ゴルフボール供給装置は、実質的に三角柱状に形成される
請求項１３から２３のいずれかに記載のゴルフ広告システム。
【請求項２５】
前記ゴルフボール供給装置は、前記ボール収納エリアへのアクセスおよび補充のために設けられるヒンジバックパネルを有する
請求項１３から２４のいずれかに記載のゴルフ広告システム。
【請求項２６】
前記ゴルフボール供給装置は、音声出力装置をさらに有する
１３から２５のいずれかに記載のゴルフ広告システム。
【請求項２７】
前記音声出力装置は、音声の宣伝物を発する
請求項２６に記載のゴルフ広告システム。
【請求項２８】
前記ゴルフボール供給装置は、視覚ディスプレイパネルをさらに有する
請求項１３から２７のいずれかに記載のゴルフ広告システム。
【請求項２９】
前記視覚ディスプレイパネルは、広告物を表示する
請求項２８に記載のゴルフ広告システム。
【請求項３０】
前記宣伝物は、動画形式である
請求項２９に記載のゴルフ広告システム。
【請求項３１】
前記ゴルフボール供給装置は、連携するゴルフ練習マット上に立つゴルファーのスイングを記録するためのビデオカメラをさらに有し、
前記視覚ディスプレイパネルは、前記スイングに関連するアウトプットを表示する
請求項１６から３０のいずれかに記載のゴルフ広告システム。
【請求項３２】
前記アウトプットは、前記スイングの動画映像である
請求項３１に記載のゴルフ広告システム。
【請求項３３】
前記アウトプットは、スイング分析情報である
請求項３２に記載のゴルフ広告システム。
【請求項３４】
前記視覚ディスプレイパネルは、ゴルフボールによる破損を回避するための保護カバーをさらに有する
請求項２８から３３のいずれかに記載のゴルフ広告システム。
【請求項３５】
前記ビデオカメラが、センサによって起動される
請求項３１から３４のいずれかに記載のゴルフ広告システム。
【請求項３６】
前記ビデオカメラが、起動レバーによって起動される
請求項３１から３４のいずれかに記載のゴルフ広告システム。
【請求項３７】
前記視覚ディスプレイパネルには、さらに宣伝物が設けられる
請求項３１から３６のいずれかに記載のゴルフ広告システム。
【請求項３８】
前記ゴルフボール供給装置は、ネットワークを介して連結される複数のかかるゴルフボール装置の一つであり、
前記視覚ディスプレイパネルにより表示される宣伝物は、中央サーバを介して制御される
請求項１３から３７のいずれかに記載のゴルフ広告システム。
【請求項３９】
各ゴルフボール供給装置は、ゴルファーがゴルフスイングを視認できるように配置される鏡を有する
請求項１３から３８のいずれかに記載のゴルフ広告システム。
【請求項４０】
前記宣伝物が、連続して表示される複数の宣伝用の広告を有する
請求項２９又は３０に記載のゴルフ広告システム。
【請求項４１】
各ゴルフボール供給装置は、一体化された座席エリアをさらに有する
請求項１３から４０のいずれかに記載のゴルフ広告システム。
【請求項４２】
前記ゴルフボール供給装置は、少なくとも1つの飲料ホルダーをさらに有する
請求項１３から４１のいずれかに記載のゴルフ広告システム。
【請求項４３】
ティー・ディバイダー防壁と、
前記ティー・ディバイダー防壁に対して適切な方向へゴルフボールを打つ際に、ゴルファーが自分のスイングの少なくとも重要な部分を見ることができるように構成される反射面と
を備えるゴルフティー・ディバイダー。
【請求項４４】
前記ゴルフボール供給機構は、ゴルフ打撃用マットの下から前記ゴルフ打撃用マットの孔を通してゴルフボールを下から上へ持ち上げて供給するように動作する
請求項１６から４２のいずれかに記載のゴルフ広告システム。
【請求項４５】
請求項１から１２のいずれかに記載のゴルフ練習マットと、
ティー・ディバイダーと、
可視面に宣伝物を有する広告台と
を備え、
前記広告台は、前記ゴルフ練習マットと前記ティー・ディバイダーとの間のスペースに配置される
ゴルフ練習場広告システム。
【請求項４６】
前記広告台は、実質的に一側面で前記ゴルフ練習マットに隣接していると共に実質的に別の側面で前記ティー・ディバイダーの基底部に隣接している
請求項４５に記載のゴルフ練習場広告システム。
【請求項４７】
請求項１から１２のいずれかに記載ゴルフ練習マットと、
ゴルフボール供給装置と、
可視面に宣伝物を有する広告台と
を備え、
前記広告台は、前記ゴルフ練習マットと前記ゴルフボール供給装置との間のスペースに配置される
ゴルフ練習場広告システム。
【請求項４８】
前記広告台は、実質的に一側面で前記ゴルフ練習マットに隣接していると共に実質的に別の側面で前記ゴルフボール供給装置の基底部に隣接している
請求項４７に記載のゴルフ練習場広告システム。
【請求項４９】
請求項１から１２のいずれかに記載のゴルフ練習マットと、
表面に宣伝物を有する広告媒体と
を備え、
広告媒体は、前記ゴルフ練習マットの３０ｃｍ以内に配置される
ゴルフ練習場広告システム。
【請求項５０】
前記表面は、ゴルファーがティーの位置に集中しているときに実質的にゴルファーの周辺視野内に入るように、前記ゴルフ練習マット上に立っているゴルファーの方向に向かって上向きに傾斜する
請求項４９に記載のゴルフ練習場広告システム。
【請求項５１】
前記広告媒体は、ティー・ディバイダーである
請求項４９又は５０に記載のゴルフ練習場広告システム。
【請求項５２】
前記ティー・ディバイダーの基底部は、前記ゴルフ練習マットに実質的に隣接している
請求項５１に記載のゴルフ練習場広告システム。
【請求項５３】
前記広告媒体は、ゴルフボール供給装置である
請求項４９に記載のゴルフ練習場広告システム。
【請求項５４】
前記ゴルフボール供給装置の基底部は、前記ゴルフ練習マットに実質的に隣接している
請求項５３に記載のゴルフ練習場広告システム。
【請求項５５】
ティーエリアから打たれてそれたゴルフボールを止めるように構成されるティー・ディバイダー部分と、
一体化される座席エリアと
を備えるゴルフ練習場ティー・ディバイダー・ユニット。
【請求項５６】
広告面と、
前記広告面に配置される宣伝物と
をさらに備える請求項５５に記載のゴルフ練習場ティー・ディバイダー・ユニット。
【請求項５７】
前記宣伝物は、取り外しできるように前記広告面に取り付けられる
請求項５６に記載のゴルフ練習場ティー・ディバイダー・ユニット。
【請求項５８】
ティーエリアから打たれてそれたゴルフボールを止めるように構成されるティー・ディバイダー部分と、
地面近くの基底部に配置され、ティーエリアに立つゴルファーの方向に向かって上向きに傾斜する広告面と
を備え、
前記広告面上の宣伝物は、ゴルファーがティーエリアに集中する際に、実質的にその周辺視野内に入る
ティー・ディバイダー装置。
【請求項５９】
ゴルフボール供給装置は、計時手段または時報受信手段を有し日時を表示する可視ディスプレイをさらに有する
請求項１３から２７のいずれかに記載のゴルフ広告システム。
【請求項６０】
ティーエリアから打たれてそれたゴルフボールを止めるように構成されるティー・ディバイダー部分と、
計時手段または時報受信手段を有し日時を表示する可視ディスプレイと
を備えるティー・ディバイダー装置。
【請求項６１】
ゴルフボール配球装置は、ゴルファーに気流を向けるための冷却システムをさらに有する
請求項１３から４２、４４及び５９のいずれかに記載のゴルフ広告システム。
【請求項６２】
前記冷却システムは、少なくとも1つの送風機を有する
請求項６１に記載のゴルフ広告システム。
【請求項６３】
ティーエリアから打たれてそれたゴルフボールを止めるように構成されるティー・ディバイダー部分と、
ゴルファーに気流を向けるための冷却装置と
を備えるティー・ディバイダー装置。
【請求項６４】
前記冷却システムは、少なくとも1つの送風機を有する
請求項６３に記載のティー・ディバイダー装置。
【請求項６５】
ティーエリアから打たれてそれたゴルフボールを止めるように構成されるティー・ディバイダー部分と、
ゴルフクラブヘッドの挿入口を有する一体型ゴルフクラブヘッド洗浄機と
を備えるティー・ディバイダー装置。
【請求項６６】
広告面と、
前記広告面に配置される宣伝物と
をさらに備える請求項６５に記載のティー・ディバイダー装置。
【請求項６７】
ゴルフボール供給装置は、ゴルフクラブヘッドの挿入口を有する一体型ゴルフクラブヘッド洗浄機をさらに有する、請求項１３から４２、４４、５９及び６１のいずれかに記載のゴルフ広告システム。
【請求項６８】
前記ゴルフボール供給装置は、広告面と、前記広告面に配置される宣伝物とをさらに有する
請求項６７に記載のゴルフ広告システム。
【請求項６９】
前記アウトプットのスイング分析情報は、連携する計算装置にて動作するゴルフスイング分析ソフトウェアにより表示される
請求項３３に記載のゴルフ広告システム。
【請求項７０】
前記ゴルフスウィング分析ソフトウェアは、計算ユニット上で実行される
請求項６９に記載のゴルフ広告システム。
【請求項７１】
前記ゴルフスウィング分析ソフトウェアは、操作可能に接続される中央計算ユニットによって実行される
請求項６９に記載のゴルフ広告システム。
【請求項７２】
一体型ビデオディスプレイをさらに備え、
前記一体型ビデオディスプレイには、広告物およびその他の物が表示される
請求項４３、５５から５８、６０及び６３から６６のいずれかに記載のティー・ディバイダー。
【国際調査報告】
2007534437.tif 000022
2007534437.tif 000023
2007534437.tif 000024
2007534437.tif 000025
2007534437.tif 000026
2007534437.tif 000027